(57)【特許請求の範囲】
【請求項１】
画像形成対象のデータを示す複数の対象画像を表示する表示部と、
前記表示部の前面に配置されるタッチパネルと、
前記タッチパネルに対するユーザー操作を受け付ける操作受付部と、
前記操作受付部が受け付けたユーザー操作に応じて、前記表示部による表示動作を制御する表示制御部と、
前記操作受付部が受け付けたユーザー操作に応じて、画像形成装置に対する画像形成ジョブを生成するジョブ生成部と、
前記画像形成装置との間でデータの送受信が可能な通信部と、
前記通信部による通信動作を制御する通信制御部と、を備え、
前記ジョブ生成部は、前記操作受付部が前記複数の対象画像のうちの１つの対象画像に対する予め定められた第１の方向へのフリック操作を受け付けた場合に、当該１つの対象画像が示す画像形成対象のデータに基づく画像形成を前記画像形成装置に行わせる画像形成ジョブを生成し、
前記通信制御部は、前記通信部に、前記ジョブ生成部が生成した前記画像形成ジョブを前記画像形成装置へ送信させ、
前記表示制御部は、前記操作受付部が前記１つの対象画像に対する前記第１の方向へのフリック操作を受け付けた場合に、前記表示部に、前記画像形成装置における保留中のデータを示す保留画像として前記表示部の表示領域における前記第１の方向の端部に前記１つの対象画像を表示させ、その後に前記通信部が前記画像形成装置からの前記画像形成ジョブの完了報告を受信した場合に、前記表示部に、前記保留画像を非表示にさせる、表示入力装置。
【請求項２】
前記ジョブ生成部は、前記操作受付部が前記１つの対象画像に対する前記第１の方向へのフリック操作を受け付けた後であって、前記通信部が前記画像形成ジョブの完了報告を受信するまでに、前記操作受付部が前記保留画像に対する前記第１の方向とは反対方向の第２の方向へのフリック操作を受け付けた場合に、前記画像形成ジョブをキャンセルさせるキャンセル指示を生成し、
前記通信制御部は、前記通信部に、前記ジョブ生成部が生成した前記キャンセル指示を前記画像形成装置へ送信させる、請求項１に記載の表示入力装置。
【請求項３】
前記表示制御部は、前記表示部に、前記保留画像を前記第１の方向へ移動させることで、前記保留画像を前記表示領域外に移動させて非表示にさせる、請求項１に記載の表示入力装置。
【請求項４】
前記表示制御部は、前記操作受付部が前記１つの対象画像に対する予め定められた時間以上連続するタップ操作を受け付けた場合に、前記表示部に、前記１つの対象画像が示す画像形成対象のデータの画像形成部数を受け付けるための部数受付画像を表示させ、
前記ジョブ生成部は、前記部数受付画像に対するユーザー操作に応じて設定された画像形成部数の画像形成を前記画像形成装置に行わせる画像形成ジョブを生成する、請求項１に記載の表示入力装置。
【請求項５】
前記表示制御部は、前記表示部に、前記画像形成対象のデータとしてのファイルを示すアイコンを前記対象画像として表示させる、請求項１乃至請求項４の何れか１項に記載の表示入力装置。
【請求項６】
前記表示制御部は、前記表示部に、前記画像形成対象のデータとしてのページデータを示すページ画像を前記対象画像として表示させる、請求項１乃至請求項４の何れか１項に記載の表示入力装置。
【請求項７】
前記表示制御部は、前記操作受付部が前記複数のページ画像のうちの１つのページ画像に対する前記第１の方向とは反対方向の第２の方向へのフリック操作を受け付けた場合に、前記表示部に、画像形成対象の先頭のページデータを示す先頭ページ画像として前記表示部の表示領域における前記第２の方向の端部に前記１つのページ画像を表示させ、
前記ジョブ生成部は、前記先頭ページ画像が示すページデータを画像形成対象の先頭のページデータとする画像形成を前記画像形成装置に行わせる画像形成ジョブを生成する、請求項６に記載の表示入力装置。
【請求項８】
前記ジョブ生成部は、前記操作受付部が前記複数のページ画像のうちの１つのページ画像に対する前記第２の方向へのフリック操作を受け付けた後に、前記操作受付部が前記１つのページ画像とは別のページ画像に対する前記第１の方向へのフリック操作を受け付けた場合に、前記別のページ画像が示すページデータを画像形成対象の後尾のページデータとする画像形成を前記画像形成装置に行わせる画像形成ジョブを生成する、請求項７に記載の表示入力装置。
【請求項９】
コンピューターを、
画像形成対象のデータを示す複数の対象画像を表示する表示部の前面に配置されるタッチパネルに対するユーザー操作を受け付ける操作受付部と、
前記操作受付部が受け付けたユーザー操作に応じて、前記表示部による表示動作を制御する表示制御部と、
前記操作受付部が受け付けたユーザー操作に応じて、画像形成装置に対する画像形成ジョブを生成するジョブ生成部と、
前記画像形成装置との間でデータの送受信が可能な通信部による通信動作を制御する通信制御部として機能させ、更に、
前記ジョブ生成部が、前記操作受付部が前記複数の対象画像のうちの１つの対象画像に対する予め定められた第１の方向へのフリック操作を受け付けた場合に、当該１つの対象画像が示す画像形成対象のデータに基づく画像形成を前記画像形成装置に行わせる画像形成ジョブを生成し、
前記通信制御部が、前記通信部に、前記ジョブ生成部が生成した前記画像形成ジョブを前記画像形成装置へ送信させ、
前記表示制御部が、前記操作受付部が前記１つの対象画像に対する前記第１の方向へのフリック操作を受け付けた場合に、前記表示部に、前記画像形成装置における保留中のデータを示す保留画像として前記表示部の表示領域における前記第１の方向の端部に前記１つの対象画像を表示させ、その後に前記通信部が前記画像形成装置からの前記画像形成ジョブの完了報告を受信した場合に、前記表示部に、前記端部に表示された前記保留画像を非表示にさせるようにコンピューターを機能させる、表示入力制御プログラム。
【発明の詳細な説明】
【技術分野】
【０００１】
本発明は、表示入力装置および表示入力制御プログラムに関し、特に、タッチパネルに対するユーザー操作に基づき画像形成ジョブを受け付ける際の表示入力技術に関する。
【背景技術】
【０００２】
近年、タッチパネルに対するユーザー操作により画像形成装置が実行する画像形成ジョブを受け付ける技術が登場している。例えば、特許文献１には、画像形成対象のデータを示すアイコンに対して予め定められた方向へのフリック操作を受け付けた場合に、当該アイコンが示すデータの画像形成を画像形成装置に行わせる画像形成ジョブを受け付ける技術が開示されている。これにより、直感的かつ簡易なユーザー操作による画像形成ジョブの入力が可能となる。
【先行技術文献】
【特許文献】
【０００３】
【特許文献１】特開２０１３−１２３８１１号公報
【発明の概要】
【発明が解決しようとする課題】
【０００４】
しかしながら、上記の技術では、画像形成ジョブを入力する予め定められた方向へのフリック操作が正しく認識され、画像形成ジョブが画像形成装置に受け付けられているか否かをユーザーが簡易に知ることができない。例えば、画像形成ジョブが集中すると画像形成ジョブが受け付けられてから画像形成ジョブが実行されるまでに時間がかかるが、この場合上記の技術では、画像形成ジョブが画像形成装置に受け付けられているか否かをユーザーが知ることができないために、ユーザーが予め定められた方向へのフリック操作が正しく行われないと誤認するおそれがある。この誤認の結果、ユーザーが予め定められた方向へのフリック操作を繰り返し行い、複数の同内容の画像形成ジョブが画像形成装置に入力されるおそれがある。
【０００５】
本発明は、上記の事情に鑑みなされたものであり、直感的かつ簡易なユーザー操作による画像形成ジョブの入力が可能であり、かつ、ユーザーが画像形成装置に画像形成ジョブが受け付けられているかを簡易に知ることを可能にすることを目的とする。
【課題を解決するための手段】
【０００６】
本発明の一局面にかかる表示入力装置は、画像形成対象のデータを示す複数の対象画像を表示する表示部と、前記表示部の前面に配置されるタッチパネルと、前記タッチパネルに対するユーザー操作を受け付ける操作受付部と、前記操作受付部が受け付けたユーザー操作に応じて、前記表示部による表示動作を制御する表示制御部と、前記操作受付部が受け付けたユーザー操作に応じて、画像形成装置に対する画像形成ジョブを生成するジョブ生成部と、前記画像形成装置との間でデータの送受信が可能な通信部と、前記通信部による通信動作を制御する通信制御部と、を備え、前記ジョブ生成部は、前記操作受付部が前記複数の対象画像のうちの１つの対象画像に対する予め定められた第１の方向へのフリック操作を受け付けた場合に、当該１つの対象画像が示す画像形成対象のデータに基づく画像形成を前記画像形成装置に行わせる画像形成ジョブを生成し、前記通信制御部は、前記通信部に、前記ジョブ生成部が生成した前記画像形成ジョブを前記画像形成装置へ送信させ、前記表示制御部は、前記操作受付部が前記１つの対象画像に対する前記第１の方向へのフリック操作を受け付けた場合に、前記表示部に、前記画像形成装置における保留中のデータを示す保留画像として前記表示部の表示領域における前記第１の方向の端部に前記１つの対象画像を表示させ、その後に前記通信部が前記画像形成装置からの前記画像形成ジョブの完了報告を受信した場合に、前記表示部に、前記保留画像を非表示にさせる、表示入力装置である。
【０００７】
また、本発明の別の一局面にかかる表示入力制御プログラムは、コンピューターを、画像形成対象のデータを示す複数の対象画像を表示する表示部の前面に配置されるタッチパネルに対するユーザー操作を受け付ける操作受付部と、前記操作受付部が受け付けたユーザー操作に応じて、前記表示部による表示動作を制御する表示制御部と、前記操作受付部が受け付けたユーザー操作に応じて、画像形成装置に対する画像形成ジョブを生成するジョブ生成部と、前記画像形成装置との間でデータの送受信が可能な通信部による通信動作を制御する通信制御部として機能させ、更に、前記ジョブ生成部が、前記操作受付部が前記複数の対象画像のうちの１つの対象画像に対する予め定められた第１の方向へのフリック操作を受け付けた場合に、当該１つの対象画像が示す画像形成対象のデータに基づく画像形成を前記画像形成装置に行わせる画像形成ジョブを生成し、前記通信制御部が、前記通信部に、前記ジョブ生成部が生成した前記画像形成ジョブを前記画像形成装置へ送信させ、前記表示制御部が、前記操作受付部が前記１つの対象画像に対する前記第１の方向へのフリック操作を受け付けた場合に、前記表示部に、前記画像形成装置における保留中のデータを示す保留画像として前記表示部の表示領域における前記第１の方向の端部に前記１つの対象画像を表示させ、その後に前記通信部が前記画像形成装置からの前記画像形成ジョブの完了報告を受信した場合に、前記表示部に、前記端部に表示された前記保留画像を非表示にさせるようにコンピューターを機能させる、表示入力制御プログラムである。
【発明の効果】
【０００８】
本発明によれば、直感的かつ簡易なユーザー操作による画像形成ジョブの入力が可能であり、かつ、ユーザーが画像形成装置に画像形成ジョブが受け付けられているかを簡易に知ることが可能となる。
【図面の簡単な説明】
【０００９】
【図１】本発明の一実施形態にかかる表示入力システムの構成を示す斜視図である。
【図２】本発明の一実施形態にかかる表示入力システムの内部構成を示すブロック図である。
【図３】本発明の一実施形態にかかる携帯端末装置の表示部に表示されるドキュメントフォルダ画面の一例を示す図である。
【図４】本発明の一実施形態にかかる携帯端末装置の動作の流れを示すフローチャートである。
【図５】本発明の一実施形態にかかる携帯端末装置の表示部に表示される部数受付画像の一例を示す図である。
【図６】（Ａ）は、本発明の一実施形態にかかる携帯端末装置に対する画像形成ジョブの入力操作の一例を示す図であり、（Ｂ）は、本発明の一実施形態にかかる携帯端末装置の表示部に表示される保留アイコンの一例を示す図である。
【図７】（Ａ）は、本発明の一実施形態にかかる携帯端末装置の表示部において保留アイコンが非表示になる様子を示す図であり、（Ｂ）は、本発明の一実施形態にかかる携帯端末装置に対する画像形成ジョブのキャンセル操作の一例を示す図である。
【図８】本発明の一実施形態にかかる携帯端末装置の図４に示すステップＳ２６の処理における動作の流れを示すフローチャートである。
【図９】（Ａ）は、本発明の一実施形態にかかる携帯端末装置の表示部に表示されるファイル画面の一例を示す図であり、（Ｂ）は、本発明の一実施形態にかかる携帯端末装置の表示部に表示される部数受付画像の一例を示す図である。
【図１０】（Ａ）は、本発明の一実施形態にかかる携帯端末装置に対する画像形成ジョブの入力操作の一例を示す図であり、（Ｂ）は、本発明の一実施形態にかかる携帯端末装置の表示部に表示される保留ページ画像の一例を示す図である。
【図１１】（Ａ）は、本発明の一実施形態にかかる携帯端末装置の表示部において保留ページ画像が非表示になる様子を示す図であり、（Ｂ）は、本発明の一実施形態にかかる携帯端末装置に対する画像形成ジョブのキャンセル操作の一例を示す図である。
【図１２】変形例にかかる携帯端末装置の図４に示すステップＳ２６の処理における動作の流れを示すフローチャートである。
【図１３】（Ａ）は、変形例にかかる携帯端末装置に対する先頭ページデータの設定操作の一例を示す図であり、（Ｂ）は、変形例にかかる携帯端末装置の表示部に表示される先頭ページ画像の一例を示す図である。
【図１４】（Ａ）は、変形例にかかる携帯端末装置に対する先頭ページデータのキャンセル操作の一例を示す図であり、（Ｂ）は、変形例にかかる携帯端末装置に対する後尾のページデータの設定操作の一例を示す図である。
【発明を実施するための形態】
【００１０】
以下、本発明の一実施形態にかかる表示入力装置および表示入力制御プログラムについて図面を参照して説明する。
【００１１】
図１は、本発明の一実施形態にかかる表示入力システムの構成を示す斜視図である。図２は、本発明の一実施形態にかかる表示入力システムの内部構成を示すブロック図である。
【００１２】
情報処理システム１は、画像形成装置１０と、画像形成装置１０と通信可能な携帯端末装置２０とを備えている。携帯端末装置２０は、タッチパネル２２０に対するユーザー操作に基づき画像形成ジョブを生成して、当該生成した画像形成ジョブを画像形成装置１０へ送信する表示入力装置としての役割を果たす。まず、画像形成装置１０の構成について説明する。
【００１３】
画像形成装置１０は、例えば、コピー機能、プリンター機能、スキャナー機能、及びファクシミリ機能等の複数の機能を兼ね備えた複合機である。画像形成装置１０は、装置本体１１と、装置本体１１の上方に配置された画像読取部１１０と、画像読取部１１０と装置本体１１との間に設けられた連結部１２とから概略構成される。
【００１４】
装置本体１１は、画像形成部１２０や給紙部１３等を備えて構成されている。
【００１５】
画像形成装置１０が画像形成動作を行う場合は、画像読取部１１０により読み取られた画像等に基づいて、画像形成部１２０が、給紙部１３から給紙される記録紙にトナー像を形成する。その後、記録紙上に形成されたトナー像は、不図示の定着部により熱定着される。定着処理の完了した画像形成済みの記録紙は、排出トレイ１４に排出される。
【００１６】
画像形成装置１０の外郭を構成する筐体の前面には、表示部１３０および操作部１５０が配置されている。表示部１３０は、液晶ディスプレイ（ＬＣＤ：Liquid Crystal Display）や有機ＥＬ（ＯＬＥＤ：Organic Light-Emitting Diode）ディスプレイを含んで構成される。表示部１３０は後述する表示制御部１０２による制御のもと、画像形成ジョブや画像形成に関する設定を受け付けるための設定画面等を表示する。
【００１７】
表示部１３０の前面には、タッチパネル１４０が配置されている。タッチパネル１４０は、所謂抵抗膜方式や静電容量方式等のタッチパネルであって、タッチパネル１４０上におけるユーザーによる接触（タッチ）をその接触位置とともに検知する。タッチパネル１４０は、ユーザーによる接触を検知すると、その接触点の座標位置を示す検知信号を後述する操作受付部１０３等に出力する。
【００１８】
操作部１５０は、例えば、メニューを呼び出すメニューキー、メニューを構成するＧＵＩのフォーカスを移動させる矢印キー、メニューを構成するＧＵＩに対して確定操作を行う決定キー等を備えるハードキーである。
【００１９】
記憶部１６０は、ＨＤＤ（Hard Disk Drive）等の大容量の記憶装置である。
【００２０】
通信部１７０は、無線ＬＡＮボード等の通信モジュールから構成されるネットワークインターフェイスである。
【００２１】
画像形成装置１０は、更に、制御ユニット１００を備えている。制御ユニット１００は、ＣＰＵ（Central Processing Unit）、ＲＡＭ(Random Access Memory）、及びＲＯＭ（Read Only Memory）等から構成される。制御ユニット１００は、上記のＲＯＭ又は記憶部１６０に記憶された制御プログラムが上記のＣＰＵに実行されることにより、制御部１０１、表示制御部１０２、操作受付部１０３、ジョブ生成部１０４、通信制御部１０５、および認証部１０６として機能する。なお、制御ユニット１００の制御部１０１、表示制御部１０２、操作受付部１０３、ジョブ生成部１０４、通信制御部１０５、および認証部１０６は、制御プログラムに基づく動作によらず、それぞれハード回路により構成されてもよい。
【００２２】
制御部１０１は、画像形成装置１０の全体的な動作制御を司る。制御部１０１は、画像読取部１１０、画像形成部１２０、表示部１３０、タッチパネル１４０、操作部１５０、記憶部１６０、および通信部１７０等と接続されている。制御部１０１は、接続されている上記各機構の動作制御や、各機構との間での信号又はデータの送受信を行う。特に、制御部１０１は、ジョブ生成部１０４が生成した画像形成ジョブや携帯端末装置２０から送信された画像形成ジョブを実行して、画像形成部１２０等に画像形成ジョブに示される画像データの画像を記録紙に形成させる。
【００２３】
表示制御部１０２は、表示部１３０による表示動作を制御する機能を有する。
【００２４】
操作受付部１０３は、タッチパネル１４０から出力される検知信号に基づき、タッチパネル１４０に対するユーザー操作を受け付ける機能を有する。また、操作受付部１０３は、ハードキー等の操作部１５０を用いたユーザー操作を受け付ける機能を有する。
【００２５】
ジョブ生成部１０４は、操作受付部１０３が受け付けたユーザー操作に応じて、画像形成装置１０に対する画像形成ジョブを生成する機能を有する。
【００２６】
表示部１３０に表示される設定画面には、例えば、記録紙のサイズ、画質、ページ集約、排紙先等の詳細な画像形成に関する設定を受け付けるための複数の設定項目が表示される。ジョブ生成部１０４は、当該設定画面に対するユーザー操作により、記録紙のサイズ、画質、ページ集約、排紙先等の詳細な画像形成に関する設定が設定された画像形成ジョブを生成することができる。
【００２７】
通信制御部１０５は、通信部１７０を制御して、携帯端末装置２０等とデータの送受信を行う機能を有する。
【００２８】
認証部１０６は、携帯端末装置２０から送信された認証要求に基づき、携帯端末装置２０を認証または非認証することで、携帯端末装置２０から送信される画像形成ジョブを制御部１０１が実行するか否かを決定する機能を有する。これにより、特定の携帯端末装置以外から送信された画像形成ジョブを排除することができる。
【００２９】
続いて、携帯端末装置２０の構成について説明する。携帯端末装置２０は、スマートフォン等の携帯モバイル機器であって、制御ユニット２００、表示部２１０、タッチパネル２２０、記憶部２３０、および通信部２４０等を備えている。
【００３０】
表示部２１０は、液晶ディスプレイや有機ＥＬディスプレイ等から構成される。表示部２１０は後述する表示制御部２０２による制御のもと、ドキュメントフォルダ画面等を表示する。
【００３１】
図３は、表示部２１０に表示されるドキュメントフォルダ画面の一例を示す図である。図３に示すドキュメントフォルダ画面Ｄ１には、複数のアイコンｄ１、ｄ２（対象画像）等が配置されている。アイコンｄ１、ｄ２は、画像形成装置１０による画像形成対象のデータとしての文書ファイル等のファイルを示す。後述するジョブ生成部２０４は、アイコンｄ１、ｄ２に対するタッチ操作に応じて、画像形成装置１０に対する画像形成ジョブを生成する。
【００３２】
タッチパネル２２０は、表示部２１０の前面に配置され、ユーザーによる接触を検知すると、その接触点の座標位置を示す検知信号を後述する操作受付部２０３等に出力する。
【００３３】
記憶部２３０は、ＨＤＤ等の大容量の記憶装置である。
【００３４】
通信部２４０は、無線ＬＡＮチップ等の通信モジュールから構成されるネットワークインターフェイスである。
【００３５】
制御ユニット２００は、ＣＰＵ、ＲＡＭ、及びＲＯＭ等から構成される。制御ユニット２００は、上記のＲＯＭ又は記憶部２３０に記憶された表示入力制御プログラムが上記のＣＰＵに実行されることにより、制御部２０１、表示制御部２０２、操作受付部２０３、ジョブ生成部２０４、および通信制御部２０５として機能する。なお、制御ユニット２００の制御部２０１、表示制御部２０２、操作受付部２０３、ジョブ生成部２０４、および通信制御部２０５は、上記の表示入力制御プログラムに基づく動作によらず、それぞれハード回路により構成されてもよい。
【００３６】
制御部２０１は、携帯端末装置２０の全体的な動作制御を司る。制御部２０１は、表示部２１０、タッチパネル２２０、記憶部２３０、および通信部２４０等と接続されている。制御部２０１は、接続されている上記各機構の動作制御や、各機構との間での信号又はデータの送受信を行う。
【００３７】
表示制御部２０２は、表示部２１０による表示動作を制御する機能を有する。
【００３８】
操作受付部２０３は、タッチパネル２２０から出力される検知信号に基づき、タッチパネル２２０に対するユーザー操作を受け付ける機能を有する。
【００３９】
ここでユーザー操作には、フリック操作、タップ操作、ピンチ操作等がある。例えば、ユーザーがタッチパネル２２０上に指を接触させた状態で指をスライド移動させると、タッチパネル２２０は、最初に接触を検出した初期位置から、最後に接触を検出した最終位置までの各移動位置を示す検知信号を操作受付部２０３に出力する。操作受付部２０３は、タッチパネル２２０から出力される上記検知信号から、ユーザーにより入力されたユーザー操作がフリック操作であることを特定する。そして、操作受付部２０３は、フリック操作に対応する制御信号を表示制御部２０２やジョブ生成部２０４等に出力する。
【００４０】
ジョブ生成部２０４は、操作受付部２０３が受け付けたフリック操作等のユーザー操作に応じて、画像形成装置１０に対する画像形成ジョブを生成する機能を有する。
【００４１】
詳細は後述するが、ジョブ生成部２０４が生成する画像形成ジョブは、画像形成装置１０において生成されるページ集約、記録紙のサイズ、画質、排紙先等の詳細な画像形成に関する設定が設定された画像形成ジョブとは異なり、画像形成対象のデータや画像形成を行う部数等の簡易な設定のみが設定された画像形成ジョブである。ジョブ生成部２０４は、当該画像形成ジョブを表示部２１０に表示されたアイコンに対するフリック操作等の直感的かつ簡易なユーザー操作に基づき生成する。
【００４２】
通信制御部２０５は、通信部２４０を制御して、画像形成装置１０とデータの送受信を行う機能を有する。特に通信制御部２０５は、通信部２４０に、ジョブ生成部２０４が生成した画像形成ジョブを画像形成装置１０へ送信させる。
【００４３】
続いて、上記の構成を備える携帯端末装置２０の動作について説明する。図４は、携帯端末装置２０の動作の流れを示すフローチャートである。
【００４４】
操作受付部２０３がタッチパネル２２０に対するユーザー操作に基づき、ドキュメントフォルダ画面の表示指示を受け付けた場合（ステップＳ１０においてＹＥＳ）、表示制御部２０２は、表示部２１０にドキュメントフォルダ画面を表示させる（ステップＳ１１）。
【００４５】
ドキュメントフォルダ画面の表示後、操作受付部２０３がドキュメントフォルダ画面に示されたアイコンに対するダブルタップ操作を受け付けた場合には（ステップＳ１２においてＹＥＳ）、携帯端末装置２０はステップＳ２６の処理を行う。ここで、ダブルタップ操作とは、予め定められた時間内に２回続けて同位置へのタップ操作を行う操作である。詳細は後述するが、ステップＳ２６の処理では、表示制御部２０２が、ダブルタップ操作がなされたアイコンが示すファイルに含まれるページデータを示す複数のページ画像を表示部２１０に表示させ（図９（Ａ）等参照）、ジョブ生成部２０４が、当該ページ画像に対するフリック操作等のユーザー操作に基づき画像形成ジョブを生成する。
【００４６】
一方、操作受付部２０３がドキュメントフォルダ画面に示されたアイコンに対するダブルタップ操作を受け付けない場合には（ステップＳ１２においてＮＯ）、操作受付部２０３は、ドキュメントフォルダ画面に示されたアイコンに対して長押しタップ操作がなされたか否かを判定する（ステップＳ１３）。ここで、長押しタップ操作とは、同位置への予め定められた時間以上連続するタップ操作である。
【００４７】
ドキュメントフォルダ画面に示されたアイコンに対して長押しタップ操作がなされた場合（ステップＳ１３においてＹＥＳ）、表示制御部２０２は、表示部２１０に、予め定められた部数受付画像を表示させる（ステップＳ１４）。当該部数受付画像は、長押しタップ操作がなされたアイコンが示す画像形成対象のデータの画像形成部数を受け付けるための画像である。図５は、表示部２１０に表示される部数受付画像の一例を示す図である。図５に示す例では、画像形成部数の設定操作として、アイコンｄ２に対する長押しタップ操作が行われている。この場合において、表示制御部２０２は、表示部２１０に、アイコンｄ２の付近位置またはアイコンｄ２に重なる位置に部数受付画像ｄ３を表示させる。ユーザーは、部数受付画像ｄ３に対してタップ操作を行うことにより、画像形成部数を増減させて所望の画像形成部数を設定することができる。
【００４８】
部数受付画像の表示後、操作受付部２０３は、部数受付画像ｄ３に対して行われたタップ操作に基づく画像形成部数の設定を受け付ける（ステップＳ１５）。
【００４９】
一方、ドキュメントフォルダ画面に示されたアイコンに対して長押しタップ操作がなされない場合（ステップＳ１３においてＮＯ）、上記のステップＳ１４およびステップＳ１５の処理は行われない。
【００５０】
その後、操作受付部２０３は、ドキュメントフォルダ画面に示されたアイコンに対して予め定められた第１の方向である上方向のフリック操作がなされたか否かを判定する（ステップＳ１６）。
【００５１】
操作受付部２０３がアイコンに対する上方向のフリック操作を受け付けた場合（ステップＳ１６においてＹＥＳ）、表示制御部２０２は、表示部２１０に、画像形成装置１０における保留中のデータを示す保留アイコン（保留画像）として、フリック操作がなされたアイコンを表示部２１０の表示領域における上方向の端部に表示させる（ステップＳ１７）。図６（Ａ）に示す例では、ドキュメントフォルダ画面Ｄ１に配置された複数のアイコンのうち、アイコンｄ２に対する上方向のフリック操作が、画像形成ジョブの入力操作として行われている。この場合、表示制御部２０２は、図６（Ｂ）に示すように、表示部２１０に、アイコンｄ２の下側部分が半透明表示された保留アイコンｄ４を表示部２１０の表示領域における上方向の端部に表示させる。
【００５２】
ステップＳ１７の処理後、ジョブ生成部２０４は、ステップＳ１６の処理で操作受付部２０３がフリック操作を受け付けたアイコンが示すファイルに基づく画像形成を画像形成装置１０に行わせる画像形成ジョブを生成する（ステップＳ１８）。ジョブ生成部２０４は、当該生成した画像形成ジョブを記憶部２３０に記憶させる。
【００５３】
ステップＳ１３の処理で操作受付部２０３がアイコンに対する長押しタップ操作を受け付けなかった場合、上記のステップＳ１８の処理において、ジョブ生成部２０４は、画像形成対象のデータとしてのファイルを示す画像形成ジョブを生成する。
【００５４】
一方、ステップＳ１３の処理で操作受付部２０３がアイコンに対する長押しタップ操作を受け付け、ステップＳ１５の処理で操作受付部２０３が画像形成部数の設定を受け付けた場合、上記のステップＳ１８の処理において、ジョブ生成部２０４は、画像形成対象のデータとしてのファイルに加えて、ステップＳ１５の処理で設定された画像形成部数を示す画像形成ジョブを生成する。
【００５５】
ステップＳ１８の処理後、通信制御部２０５は、通信部２４０に、ジョブ生成部２０４が生成した画像形成ジョブを画像形成装置１０へ送信させる（ステップＳ１９）。
【００５６】
なお、図４に示すフローチャートには示していないが、ステップＳ１９の処理の前に、通信制御部２０５は、通信部２４０に、画像形成装置１０において携帯端末装置２０の認証に用いられるパスワード等を含む認証要求を画像形成装置１０へ送信させておく。画像形成装置１０では、認証部１０６が当該認証要求に基づき携帯端末装置２０を認証または非認証することで、携帯端末装置２０から送信される画像形成ジョブを制御部１０１が実行するか否かを決定する。認証部１０６が携帯端末装置２０の認証に成功した場合、通信制御部１０５は、通信部１７０に、認証成功を示す通知信号を携帯端末装置２０へ送信させる。上記のステップＳ１９の処理は、携帯端末装置２０が当該認証成功を示す通知信号を受信した後に行われる。
【００５７】
上記のステップＳ１６〜ステップＳ１９の処理により、ユーザーは、携帯端末装置２０から画像形成装置１０に画像形成ジョブを送り出すイメージで、所望のファイルを上方向へフリック操作すれば、当該ファイルを画像形成させる画像形成ジョブを画像形成装置１０に入力することができる。従って、本発明の一実施形態にかかる携帯端末装置２０によれば、画像形成ジョブを入力する操作方法に関して、ユーザーに直感的かつ新たな操作感の操作方法を提供することができる。
【００５８】
画像形成ジョブの送信後、操作受付部２０３は、保留アイコンに対する予め定められた第１の方向とは反対方向の下方向（第２の方向）へのフリック操作がなされたか否かを判定する（ステップＳ２０）。
【００５９】
操作受付部２０３が保留アイコンに対する下方向へのフリック操作を受け付けた場合（ステップＳ２０においてＹＥＳ）、表示制御部２０２は、表示部２１０に保留アイコンを非表示にさせる（ステップＳ２１）。
【００６０】
そしてジョブ生成部２０４は、ステップＳ１９の処理で送信した画像形成ジョブをキャンセルさせるキャンセル指示を生成する（ステップＳ２２）。
【００６１】
ステップＳ２２の処理後、通信制御部２０５は、通信部２４０に、ジョブ生成部２０４が生成したキャンセル指示を画像形成装置１０へ送信させる（ステップＳ２３）。図７（Ｂ）に示す例では、表示部２１０の表示領域の上端部に表示された保留アイコンｄ４に対する下方向のフリック操作が、画像形成ジョブのキャンセル操作として行われている。この場合、ジョブ生成部２０４は、保留アイコンｄ４が示すファイル「文書６．ｄｏｃ」の画像形成ジョブに対するキャンセル指示を生成する。
【００６２】
一方、操作受付部２０３が保留アイコンに対する下方向へのフリック操作を受け付けなかった場合（ステップＳ２０においてＮＯ）、表示制御部２０２は、ステップＳ１９の処理で送信した画像形成ジョブに対するジョブの完了報告が画像形成装置１０から送信され、通信部２４０が当該完了報告を受信するまで待機する（ステップＳ２４）。そして通信部２４０が画像形成ジョブの完了報告を受信した場合（ステップＳ２４においてＹＥＳ）、表示制御部２０２は、表示部２１０に保留アイコンを非表示にさせる（ステップＳ２５）。この際、表示制御部２０２は、表示部２１０に、表示部２１０の表示領域の上方向の端部に表示された保留アイコンを上方向へ移動させることで、保留アイコンを表示部２１０の表示領域外に移動させて非表示にさせる。図７（Ａ）に示す例では、画像形成装置１０でファイル「文書６．ｄｏｃ」の画像形成ジョブが完了した結果、保留アイコンｄ４が表示部２１０の表示領域外に移動されている（図中の矢印参照）。
【００６３】
上記のステップＳ２０〜ステップＳ２５の処理において、表示制御部２０２は、画像形成ジョブの送信後から当該画像形成ジョブが画像形成装置１０において実行されるまでの間、すなわち、画像形成装置１０において画像形成ジョブが保留されている間、表示部２１０に保留アイコンを表示させておく。ユーザーは、画像形成ジョブを入力する上方向へのフリック操作を行った後、表示部２１０の上方向の端部に表示された保留アイコンを確認することで、上方向へのフリック操作が携帯端末装置２０に正しく認識され、画像形成ジョブが画像形成装置１０に送信されたことを知ることができる。また、ユーザーは、当該保留アイコンが表示部２１０に表示されている間は、画像形成装置１０において画像形成ジョブが保留中であることを知ることができる。これにより、画像形成装置１０に画像形成ジョブが集中して、ユーザーが画像形成ジョブを入力する上方向へのフリック操作を行ってから画像形成ジョブが実行されるまでに時間がかかる場合であっても、当該上方向へのフリック操作が携帯端末装置２０に認識されていないとユーザーが誤認することがない。このため、本発明の一実施形態にかかる携帯端末装置２０によれば、ユーザーによるアイコンに対する上方向へのフリック操作が繰り返し行われて、複数の同内容の画像形成ジョブが画像形成装置１０に入力される事態を回避することができる。
【００６４】
また、ユーザーは、画像形成装置１０から携帯端末装置２０に画像形成ジョブを引き戻すイメージで、表示部２１０の表示領域の上端部に表示された保留アイコンを下方向へフリック操作すれば、画像形成ジョブをキャンセルする指示を画像形成装置１０に入力することができる。従って、本発明の一実施形態にかかる携帯端末装置２０によれば、画像形成ジョブをキャンセルさせる指示を入力する操作方法に関して、ユーザーに直感的かつ新たな操作感の操作方法を提供することができる。
【００６５】
続いて、上記のステップＳ２６の詳細な処理内容について説明する。図８は、ステップＳ２６の処理における携帯端末装置２０の動作の流れを示すフローチャートである。
【００６６】
表示制御部２０２は、表示部２１０に予め定められたファイル画面を表示させる（ステップＳ３０）。当該ファイル画面には、ステップＳ１２の処理で選択されたファイルに含まれる画像形成対象のデータとしてのページデータを示す複数のページ画像（対象画像）が表示される。図９（Ａ）は、表示部２１０に表示されるファイル画面の一例を示す図である。図９（Ａ）に示すファイル画面Ｄ２には、ファイル「文書６．ｄｏｃ」に含まれるページデータを示すページ画像ｄ５、ｄ６、ｄ７が表示されている。
【００６７】
ファイル画面において操作受付部２０３がページ画像に対する左右方向へのフリック操作を受け付けた場合（ステップＳ３１においてＹＥＳ）、表示制御部２０２は、表示部２１０に、表示するページ画像を切り替えさせる（ステップＳ３２）。図９（Ａ）に示す例では、ページ画像ｄ６に対する左方向へのフリック操作が、ページ画像の切替操作として行われている。この場合において、表示制御部２０２は、表示部２１０に、表示するページ画像をページ画像ｄ６の次ページのページ画像ｄ７に切り替えさせる。一方、ユーザーによりページ画像ｄ６に対する右方向のフリック操作が行われた場合、表示制御部２０２は、表示部２１０に、表示するページ画像をページ画像ｄ６の前ページのページ画像ｄ５に切り替えさせる。
【００６８】
また、ファイル画面において、操作受付部２０３がページ画像に対する長押しタップ操作を受け付けた場合（ステップＳ３３においてＹＥＳ）、ステップＳ１４の処理と同様に、表示制御部２０２は、表示部２１０に、予め定められた部数受付画像を表示させる（ステップＳ３４）。図９（Ｂ）に示す例では、ページ画像ｄ６に対する長押しタップ操作が、画像形成部数の設定操作として行われている。この場合において、表示制御部２０２は、表示部２１０に、ページ画像ｄ６の付近位置またはページ画像ｄ６に重なる位置に部数受付画像ｄ８を表示させる。部数受付画像の表示後、操作受付部２０３は、部数受付画像ｄ８に対して行われたタップ操作に基づき、画像形成部数の設定を受け付ける（ステップＳ３５）。
【００６９】
また、ファイル画面において、操作受付部２０３がページ画像に対する上方向へのフリック操作を受け付けた場合（ステップＳ３６においてＹＥＳ）、表示制御部２０２は、表示部２１０に、画像形成装置１０における保留中のデータを示す保留ページ画像（保留画像）として、フリック操作がなされたページ画像を表示部２１０の表示領域における上方向の端部に表示させる（ステップＳ３７）。図１０（Ａ）に示す例では、ファイル画面Ｄ２に配置された複数のページ画像のうち、ページ画像ｄ６に対する上方向のフリック操作が、画像形成ジョブの入力操作として行われている。この場合、表示制御部２０２は、図１０（Ｂ）に示すように、表示部２１０に、ページ画像ｄ６の下側部分が半透明表示された保留ページ画像ｄ９を表示部２１０の表示領域における上方向の端部に表示させる。また、表示制御部２０２は、表示部２１０に、表示するページ画像をページ画像ｄ６の次ページのページ画像ｄ７に切り替えさせる。
【００７０】
ステップＳ３７の処理後、ジョブ生成部２０４は、ステップＳ３６の処理で操作受付部２０３がフリック操作を受け付けたページ画像が示すページデータに基づく画像形成を画像形成装置１０に行わせる画像形成ジョブを生成する（ステップＳ３８）。そして、通信制御部２０５は、通信部２４０に、ジョブ生成部２０４が生成した画像形成ジョブを画像形成装置１０へ送信させる（ステップＳ３９）。
【００７１】
画像形成ジョブの送信後、操作受付部２０３が保留ページ画像に対する下方向へのフリック操作を受け付けた場合（ステップＳ４０においてＹＥＳ）、表示制御部２０２は、表示部２１０に保留ページ画像を非表示にさせる（ステップＳ４１）。
【００７２】
そしてジョブ生成部２０４は、ステップＳ３９の処理で送信した画像形成ジョブをキャンセルさせるキャンセル指示を生成する（ステップＳ４２）。また、通信制御部２０５は、通信部２４０に、ジョブ生成部２０４が生成したキャンセル指示を画像形成装置１０へ送信させる（ステップＳ４３）。図１１（Ｂ）に示す例では、表示部２１０の表示領域の上端部に表示された保留ページ画像ｄ９に対する下方向のフリック操作が、画像形成ジョブのキャンセル操作として行われている。この場合、ジョブ生成部２０４は、保留ページ画像ｄ９が示すページデータの画像形成ジョブに対するキャンセル指示を生成する。
【００７３】
一方、操作受付部２０３が保留ページ画像に対する下方向へのフリック操作を受け付けなかった場合（ステップＳ４０においてＮＯ）、表示制御部２０２は、ステップＳ３９の処理で送信した画像形成ジョブに対するジョブの完了報告が画像形成装置１０から送信され、通信部２４０が当該完了報告を受信するまで待機する（ステップＳ４４）。そして通信部２４０が画像形成ジョブの完了報告を受信した場合（ステップＳ４４においてＹＥＳ）、表示制御部２０２は、表示部２１０に保留ページ画像を非表示にさせる（ステップＳ４５）。この際、表示制御部２０２は、表示部２１０に、表示部２１０の表示領域の上方向の端部に表示された保留ページ画像を上方向へ移動させることで、保留ページ画像を表示部２１０の表示領域外に移動させて非表示にさせる。図１１（Ａ）に示す例では、画像形成装置１０で画像形成ジョブが完了した結果、保留ページ画像ｄ９が表示部２１０の表示領域外に移動されている（図中の矢印参照）。
【００７４】
このように、画像形成対象のデータとしてのページデータを示すページ画像に対しても、画像形成対象のデータとしてのファイルを示すアイコンと同様の操作をユーザーが行うことにより、画像形成装置１０に対する画像形成ジョブを入力することができる。
【００７５】
なお、本発明は、上記の実施の形態の構成に限られず種々の変形が可能である。
【００７６】
図１２は、変形例にかかる携帯端末装置２０のステップＳ２６の処理における動作の流れを示すフローチャートである。なお、図８に示すフローチャートと同内容の処理については同符号を付して説明を省略する。
【００７７】
ファイル画面において、操作受付部２０３がページ画像に対する予め定められた第１の方向とは反対方向の下方向（第２の方向）へのフリック操作を受け付けた場合（ステップＳ５０）、表示制御部２０２は、表示部２１０に、画像形成対象の先頭のページデータを示す先頭ページ画像として、フリック操作が行われたページ画像を表示部２１０の表示領域における下方向の端部に表示させる（ステップＳ５１）。図１３（Ａ）に示す例では、ファイル画面Ｄ２に配置された複数のページ画像のうち、ページ画像ｄ６に対する下方向のフリック操作が、先頭ページデータの設定操作として行われている。この場合、表示制御部２０２は、図１３（Ｂ）に示すように、表示部２１０に、ページ画像ｄ６の上側部分が半透明表示された先頭ページ画像ｄ１０を表示部２１０の表示領域における下方向の端部に表示させる。また、表示制御部２０２は、表示部２１０に、表示するページ画像をページ画像ｄ６の次ページのページ画像ｄ７に切り替えさせる。
【００７８】
操作受付部２０３は、下方向へのフリック操作が行われたページ画像が示すページデータを画像形成対象の先頭のページデータとして受け付ける（ステップＳ５２）。操作受付部２０３は、当該受け付けた先頭のページデータを記憶部２３０に記憶させる。
【００７９】
なお、図１４（Ａ）に示すように、先頭ページデータのキャンセル操作として、先頭ページ画像ｄ１０に対して上方向へのフリック操作が行われた場合、表示制御部２０２は、表示部２１０に当該先頭ページ画像ｄ１０を非表示にさせる。そして、操作受付部２０３は、ステップＳ５２の処理で先頭のページデータとして受け付けたページデータを記憶部２３０に削除させる。
【００８０】
ステップＳ５２の処理後、操作受付部２０３がページ画像に対する上方向へのフリック操作を受け付けた場合（ステップＳ５３においてＹＥＳ）、表示制御部２０２は、表示部２１０に、画像形成装置１０における保留中のデータを示す保留ページ画像として、フリック操作がなされたページ画像を表示部２１０の表示領域における上方向の端部に表示させる（ステップＳ５４）。
【００８１】
そして、操作受付部２０３は、上方向へのフリック操作が行われたページ画像が示すページデータを画像形成対象の後尾のページデータとして受け付ける（ステップＳ５５）。操作受付部２０３は、当該受け付けた後尾のページデータを記憶部２３０に記憶させる。
【００８２】
ステップＳ５５の処理後、ジョブ生成部２０４は、ステップＳ５２およびステップＳ５５の処理で操作受付部２０３が受け付け、記憶部２３０に記憶されている先頭のページデータから後尾のページデータまでのページデータに基づく画像形成を画像形成装置１０に行わせる画像形成ジョブを生成する（ステップＳ５６）。図１４（Ｂ）に示すように、ファイル画面Ｄ２に配置された複数のページ画像のうち、ページ画像ｄ１１に対する上方向のフリック操作が、後尾のページデータの設定操作として行われた場合、ジョブ生成部２０４は、先頭ページ画像ｄ１０が示すページデータからページ画像ｄ１１が示すページデータまでのページデータに基づく画像形成を画像形成装置１０に行わせる画像形成ジョブを生成する。
【００８３】
このように、変形例にかかる携帯端末装置２０では、ユーザーが所望のページ画像に対して下方向および上方向へのフリック操作を行うという直観的かつ簡易な操作により、画像形成対象の先頭のページデータおよび後尾のページデータを指定した画像形成ジョブを入力することができる。
【００８４】
なお、上記の実施の形態および変形例では、表示入力装置の一例として携帯端末装置を示したが本発明は必ずしもこの場合に限定されない。本発明の一実施形態にかかる表示入力装置は、携帯端末装置の他に、例えば、画像形成装置、パーソナルコンピューター、テレビ等に適応することができる。
【００８５】
また、上記の実施の形態および変形例で説明した表示入力制御プログラムをコンピューター読み取り可能な非一時的な記録媒体、例えば、ハードディスク、ＣＤ−ＲＯＭ、ＤＶＤ−ＲＯＭ、半導体メモリーなどに記録したものとしてもよい。
【符号の説明】
【００８６】
１      情報処理システム
１０    画像形成装置
２０    携帯端末装置
２００  制御ユニット
２０１  制御部
２０２  表示制御部
２０３  操作受付部
２０４  ジョブ生成部
２０５  通信制御部
２１０  表示部
２２０  タッチパネル
２３０  記憶部
２４０  通信部
【図１】
0005978274.tif 000002
【図２】
0005978274.tif 000003
【図３】
0005978274.tif 000004
【図４】
0005978274.tif 000005
【図５】
0005978274.tif 000006
【図６】
0005978274.tif 000007
【図７】
0005978274.tif 000008
【図８】
0005978274.tif 000009
【図９】
0005978274.tif 000010
【図１０】
0005978274.tif 000011
【図１１】
0005978274.tif 000012
【図１２】
0005978274.tif 000013
【図１３】
0005978274.tif 000014
【図１４】
0005978274.tif 000015